(57)【要約】【課題】ユーザによる選択画像の迅速な確認を可能にする画像表示装置、画像表示方法および画像表示プログラムを提供すること。【解決手段】格納された画像群の画像を擬似動画像として時系列的に順次表示する画像表示装置４において、擬似動画像の中から所望の画像を選択する選択情報を入力する選択情報入力部２１と、選択情報をもとに格納された複数の画像の中から所望の画像を抽出する選択画像抽出部５２と、選択画像抽出部５２によって抽出された画像の縮小画像を生成する縮小画像生成部５３と、表示部３０に対して擬似動画像を所定の擬似動画像表示領域に表示させ、縮小画像を所定の縮小画像表示領域に表示させる画像表示制御部５５と、を備える。【選択図】      図２
2006055522.tif 000002
【特許請求の範囲】
【請求項１】
格納された複数の画像を撮像順にしたがって所定の表示領域に順次表示する表示手段を備えた画像表示装置において、
順次表示された前記画像の中から所望の画像を選択する選択情報を入力する入力手段と、
前記複数の画像の中から前記選択情報に対応する画像を抽出する選択画像抽出手段と、
前記表示手段に対して、前記選択画像抽出手段が抽出した画像を所定の選択画像表示領域に表示させる制御手段と、
を備えたことを特徴とする画像表示装置。
【請求項２】
前記制御手段は、前記表示手段に対して、前記選択画像抽出手段によって抽出された画像を前記所定の表示領域に表示された画像よりも小さい画像で前記所定の選択画像表示領域に表示させることを特徴とする請求項１に記載の画像表示装置。
【請求項３】
前記制御手段は、前記選択情報が入力された場合に前記所定の表示領域の画像の順次表示を停止させることを特徴とする請求項１または２に記載の画像表示装置。
【請求項４】
前記制御手段は、前記表示手段の前記所定の選択画像表示領域に前記選択画像抽出手段によって抽出された画像を表示させてから所定の待機時間を経過した後に、前記表示手段に対して、停止させた画像の順次表示を再開させることを特徴とする請求項３に記載の画像表示装置。
【請求項５】
前記所定の表示領域の画像の順次表示の再開を指示する指示手段をさらに備え、
前記制御手段は、前記指示手段によって前記所定の表示領域の画像の順次表示の再開が指示された場合、前記表示手段に対して、停止させた画像の順次表示を再開させることを特徴とする請求項３に記載の画像表示装置。
【請求項６】
前記制御手段は、前記表示手段に対して、前記前記選択画像抽出手段によって抽出された画像を前記所定の選択画像表示領域に撮像順に表示させることを特徴とする請求項１〜５のいずれか一つに記載の画像表示装置。
【請求項７】
前記画像は、被検体内部を撮像した画像であることを特徴とする請求項１〜６のいずれか一つに記載の画像表示装置。
【請求項８】
格納された複数の画像を撮像順にしたがって所定の表示領域に順次表示する画像表示方法において、
順次表示された前記画像の中から所望の画像を選択する選択情報を入力する入力ステップと、
前記複数の画像の中から前記選択情報に対応する画像を抽出する選択画像抽出ステップと、
前記選択画像抽出ステップにおいて抽出された画像を所定の選択画像表示領域に表示する選択画像表示ステップと、
を含むことを特徴とする画像表示方法。
【請求項９】
前記選択画像表示ステップは、前記選択画像抽出ステップにおいて抽出された画像を前記所定の表示領域に表示された画像よりも小さい画像で前記所定の選択画像表示領域に表示することを特徴とする請求項８に記載の画像表示方法。
【請求項１０】
前記選択情報が入力された場合に前記所定の表示領域における画像の順次表示を停止する表示停止ステップをさらに含むことを特徴とする請求項８または９に記載の画像表示方法。
【請求項１１】
格納された複数の画像を撮像順にしたがって所定の表示領域に順次表示する画像表示プログラムにおいて、
順次表示された前記画像の中から所望の画像を選択する選択情報を入力する入力手順と、
前記複数の画像の中から前記選択情報に対応する画像を抽出する選択画像抽出手順と、
前記選択画像抽出手順において抽出された画像を所定の選択画像表示領域に表示する選択画像表示手順と、
を含むことを特徴とする画像表示プログラム。
【請求項１２】
前記選択画像表示手順は、前記選択画像抽出手順において抽出された画像を前記所定の表示領域に表示された画像よりも小さい画像で前記所定の選択画像表示領域に表示することを特徴とする請求項１１に記載の画像表示プログラム。
【請求項１３】
前記選択情報が入力された場合に前記所定の表示領域における画像の順次表示を停止する表示停止手順をさらに含むことを特徴とする請求項１１または１２に記載の画像表示プログラム。
【発明の詳細な説明】
【技術分野】
【０００１】
この発明は、格納された複数の画像を撮像順にしたがって所定の表示領域に順次表示する画像表示装置、画像表示方法および画像表示プログラムに関する。
【背景技術】
【０００２】
近年、内視鏡の分野においては、飲込み型のカプセル型内視鏡が提案されている。このカプセル型内視鏡には、撮像機能と無線通信機能とが設けられている。カプセル型内視鏡は、観察（検査）のために被検体の口から飲込まれた後、自然排出されるまでの間、体腔内、たとえば、胃、小腸などの臓器の内部をその蠕動運動にしたがって移動し、移動にともない、たとえば０．５秒間隔で被検体内画像の撮像を行う機能を有する。
【０００３】
体腔内を移動する間、カプセル型内視鏡によって撮像された画像データは、順次無線通信により外部に送信された外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護士においては、メモリに蓄積された画像データに基づいて臓器の画像をディスプレイに表示させて診断を行うことができる（特許文献１参照）。
【０００４】
【特許文献１】特開２００３−１９１１１号公報
【発明の開示】
【発明が解決しようとする課題】
【０００５】
ところで、ディスプレイには撮像順にしたがって所定の表示レートで画像を順次表示され、医者もしくは看護士は、順次に表示された画像のうち、診断において必要な画像を選択する場合があった。しかしながら、従来、医師もしくは看護士は、選択した画像をディスプレイ上で確認する場合、格納された複数の画像の中から所望の選択画像を検索し、検索した選択画像をディスプレイ上に表示させるという煩雑な処理を行う必要があり、医師もしくは看護士による迅速な診断の妨げとなる場合があった。
【０００６】
この発明は、上記した従来技術の欠点に鑑みてなされたものであり、ユーザによる選択画像の迅速な確認を可能にする画像表示装置、画像表示方法および画像表示プログラムを提供することを目的とする。
【課題を解決するための手段】
【０００７】
上述した課題を解決し、目的を達成するために、この発明にかかる画像表示装置は、格納された複数の画像を撮像順にしたがって所定の表示領域に順次表示する表示手段を備えた画像表示装置において、順次表示された前記画像の中から所望の画像を選択する選択情報を入力する入力手段と、前記複数の画像の中から前記選択情報に対応する画像を抽出する選択画像抽出手段と、前記表示手段に対して、前記選択画像抽出手段が抽出した画像を所定の選択画像表示領域に表示させる制御手段と、を備えたことを特徴とする。
【０００８】
また、この発明にかかる画像表示装置は、前記制御手段は、前記表示手段に対して、前記選択画像抽出手段によって抽出された画像を前記所定の表示領域に表示された画像よりも小さい画像で前記所定の選択画像表示領域に表示させることを特徴とする。
【０００９】
また、この発明にかかる画像表示装置は、前記制御手段は、前記選択情報が入力された場合に前記所定の表示領域の画像の順次表示を停止させることを特徴とする。
【００１０】
また、この発明にかかる画像表示装置は、前記制御手段は、前記表示手段の前記所定の選択画像表示領域に前記選択画像抽出手段によって抽出された画像を表示させてから所定の待機時間を経過した後に、前記表示手段に対して、停止させた画像の順次表示を再開させることを特徴とする。
【００１１】
また、この発明にかかる画像表示装置は、前記所定の表示領域の画像の順次表示の再開を指示する指示手段をさらに備え、前記制御手段は、前記指示手段によって前記所定の表示領域の画像の順次表示の再開が指示された場合、前記表示手段に対して、停止させた画像の順次表示を再開させることを特徴とする。
【００１２】
また、この発明にかかる画像表示装置は、前記制御手段は、前記表示手段に対して、前記前記選択画像抽出手段によって抽出された画像を前記所定の選択画像表示領域に撮像順に表示させることを特徴とする。
【００１３】
また、この発明にかかる画像表示装置は、前記画像は、被検体内部を撮像した画像であることを特徴とする。
【００１４】
また、この発明にかかる画像表示方法は、格納された複数の画像を撮像順にしたがって所定の表示領域に順次表示する画像表示方法において、順次表示された前記画像の中から所望の画像を選択する選択情報を入力する入力ステップと、前記複数の画像の中から前記選択情報に対応する画像を抽出する選択画像抽出ステップと、前記選択画像抽出ステップにおいて抽出された画像を所定の選択画像表示領域に表示する選択画像表示ステップと、を含むことを特徴とする。
【００１５】
また、この発明にかかる画像表示方法は、前記選択画像表示ステップは、前記選択画像抽出ステップにおいて抽出された画像を前記所定の表示領域に表示された画像よりも小さい画像で前記所定の選択画像表示領域に表示することを特徴とする。
【００１６】
また、この発明にかかる画像表示方法は、前記選択情報が入力された場合に前記所定の表示領域における画像の順次表示を停止する表示停止ステップをさらに含むことを特徴とする。
【００１７】
また、この発明にかかる画像表示プログラムは、格納された複数の画像を撮像順にしたがって所定の表示領域に順次表示する画像表示プログラムにおいて、順次表示された前記画像の中から所望の画像を選択する選択情報を入力する入力手順と、前記複数の画像の中から前記選択情報に対応する画像を抽出する選択画像抽出手順と、前記選択画像抽出手順において抽出された画像を所定の選択画像表示領域に表示する選択画像表示手順と、を含むことを特徴とする。
【００１８】
また、この発明にかかる画像表示プログラムは、前記選択画像表示手順は、前記選択画像抽出手順において抽出された画像を前記所定の表示領域に表示された画像よりも小さい画像で前記所定の選択画像表示領域に表示することを特徴とする。
【００１９】
また、この発明にかかる画像表示プログラムは、前記選択情報が入力された場合に前記所定の表示領域における画像の順次表示を停止する表示停止手順をさらに含むことを特徴とする。
【発明の効果】
【００２０】
本発明によれば、所定の表示領域に順次表示された画像の中から選択された画像を所定の選択画像表示領域に表示させるため、ユーザによる選択画像の迅速な確認を可能にするという効果を奏する。
【発明を実施するための最良の形態】
【００２１】
以下、図面を参照して、この発明の実施の形態である画像表示装置について説明する。なお、この実施の形態によりこの発明が限定されるものではない。また、図面の記載において、同一部分には同一の符号を付している。また、本実施の形態にかかる画像表示装置として、カプセル型内視鏡を用いた被検体内情報取得システムにおける画像表示装置を例として説明する。
【００２２】
（実施の形態１）
まず、実施の形態１にかかる画像表示装置について説明する。本実施の形態１にかかる画像表示装置は、所定の画像表示領域に順次表示された画像のうちユーザよって選択された画像を所定の選択画像表示領域に表示させる。
【００２３】
図１は、本実施の形態１における被検体内情報取得システムの全体構成を示す模式図である。図１に示すように、本実施の形態１における被検体内情報取得システムは、受信機能を有する受信装置２と、被検体１の体内に導入され、体腔内画像を撮像して受信装置２に対してデータ送信を行うカプセル型内視鏡３とを備える。また、被検体内情報取得システムは、受信装置２が受信したデータに基づいて体腔内画像を表示する画像表示装置４と、受信装置２と画像表示装置４との間のデータ受け渡しを行うための携帯型記録媒体５とを備える。受信装置２は、被検体１によって着用される受信ジャケット２ａと、受信ジャケット２ａを介して送受信される無線信号の処理等を行う外部装置２ｂとを備える。
【００２４】
画像表示装置４は、カプセル型内視鏡３によって撮像された体腔内画像を表示するためのものであり、携帯型記録媒体５によって得られるデータに基づいて画像表示を行うワークステーション等を有する。画像表示装置４は、カプセル型内視鏡３が撮像した複数の静止画像を撮像順にしたがって順次表示する。なお、この順次表示された画像を擬似動画像という。
【００２５】
携帯型記録媒体５は、外部装置２ｂおよび画像表示装置４に対して着脱可能であって、両者に対する挿着時に情報の出力または記録が可能な構造を有する。具体的には、携帯型記録媒体５は、カプセル型内視鏡３が被検体１の体腔内を移動している間は外部装置２ｂに挿着されてカプセル型内視鏡３から送信されるデータを記録する。そして、カプセル型内視鏡３が被検体１から排出された後、つまり、被検体１の内部の撮像が終った後には、外部装置２ｂから取り出されて画像表示装置４に挿着され、画像表示装置４によって記録したデータが読み出される構成を有する。外部装置２ｂと画像表示装置４との間のデータの受け渡しは、コンパクトフラッシュ（登録商標）メモリ等の携帯型記録媒体５によって行う構成以外にも、外部装置２ｂと画像表示装置４との間を有線接続する構成をとることも可能である。
【００２６】
ここで、図２を参照して画像表示装置４について説明する。図２は、図１に示す画像表示装置４の概略構成を示すブロック図である。図２に示すように、画像表示装置４は、入力部２０、表示部３０、記憶部４０、制御部５０を備える。
【００２７】
入力部２０は、表示部３０に順次表示される画像の中から所望の画像を選択する選択情報を入力する選択情報入力部２１を有する。入力部２０は、キーボードやマウスなどのポインティングデバイスなどによって実現され、画像表示装置４の動作指示および画像表示装置４が行なう処理の指示情報を制御部５０に送出する。
【００２８】
表示部３０は、ＣＲＴディスプレイ、液晶ディスプレイ等によって実現され、入力部２０の指示情報あるいは指示結果などを表示出力する。また、表示部３０は、擬似動画像として、カプセル型内視鏡３が撮像した画像群の各画像を撮影順にしたがって所定の擬似動画像表示領域に順次表示する。表示部３０は、選択情報入力部２１の選択情報において選択された画像の縮小画像を所定の縮小画像表示領域に表示出力する。
【００２９】
記憶部４０は、たとえばハードディスク装置などによって実現され、各種画像などが保持され、特に、カプセル型内視鏡３によって撮像された画像群Ｐ１および制御部５０において生成された縮小画像群Ｐ２がそれぞれフォルダＦ１，Ｆ２内に格納される。
【００３０】
制御部５０は、入力部２０、表示部３０、記憶部４０の各処理または動作を制御する。制御部５０は、選択画像抽出部５２と、縮小画像生成部５３およびタイマー５４を有する画像表示制御部５５とを備える。選択画像抽出部５２は、選択情報入力部２１から入力された選択情報をもとに、選択された画像をフォルダＦ１の中から抽出する。縮小画像生成部５３は、画素の間引き処理、さらに、表示する画素値の線形補間による決定処理などを行うことによって、選択画像抽出部５２が抽出した画像に対する縮小画像を生成する。縮小画像生成部５３は、選択画像抽出部５２が抽出した画像に対する縮小画像として、表示部３０の擬似動画像表示領域に表示された画像よりも小さい画像を生成する。タイマー５４は、時間を計測する機能を備える。画像表示制御部５５は、表示部３０における画像表示処理を制御する。画像表示制御部５５は、表示部３０に対して、縮小画像生成部５３が生成した縮小画像を縮小画像表示領域に表示させる。言い換えると、画像表示制御部５５は、表示部３０に対して、選択画像抽出部５２が抽出した画像を、擬似動画像表示領域に表示された画像よりも小さい画像で縮小画像表示領域に表示させることとなる。
【００３１】
つぎに、図３を参照して、制御部５０による画像表示処理手順について説明する。図３において、制御部５０は、入力部２０からの擬似動画像表示を指示する指示情報があったか否かを判断する（ステップＳ１０２）。制御部５０は、擬似動画像表示を指示する指示情報があるまでステップＳ１０２の判断を繰り返し、擬似動画像表示を指示する指示情報があった場合（ステップＳ１０２：Ｙｅｓ）、画像表示制御部５５は、表示部３０に対して、記憶部４０のフォルダＦ１に格納された画像群Ｐ１の各画像を撮像順にしたがって所定の擬似動画表示領域に順次表示させる擬似動画像表示を行う（ステップＳ１０４）。
【００３２】
制御部５０は、入力部２０からの擬似動画像表示の終了を指示する指示情報があるか否かを判断し（ステップＳ１０６）、この指示情報があった場合には（ステップＳ１０６：Ｙｅｓ）、擬似動画像表示を終了する。これに対し、制御部５０が入力部からの擬似動画像表示の終了を指示する指示情報がないと判断した場合（ステップＳ１０６：Ｎｏ）、画像表示制御部５５は、表示部３０が画像群Ｐ１の最終画像まで表示したか否かを判断する（ステップＳ１０８）。画像表示制御部５５は、表示部３０が画像群Ｐ１の最終画像まで表示したと判断した場合（ステップＳ１０８：Ｙｅｓ）、擬似動画像表示を終了する。
【００３３】
一方、表示部３０が画像群Ｐ１の最終画像まで表示していないと判断した場合（ステップＳ１０８：Ｎｏ）、制御部５０は、選択情報入力部２１からの選択情報の有無をもとに画像選択指示があるか否かを判断する（ステップＳ１１０）。制御部５０は、画像選択指示がないと判断した場合には（ステップＳ１１０：Ｎｏ）、ステップＳ１０４に進み、擬似動画像表示を継続する。
【００３４】
これに対し、制御部５０は、選択情報入力部２１から選択情報が入力され、画像選択指示があると判断した場合（ステップＳ１１０：Ｙｅｓ）、選択情報をもとに選択された画像を縮小し、表示部３０に対して、所定の縮小画像表示領域に縮小した画像を表示させる画像選択処理を行う（ステップＳ１１２）。制御部５０は、画像選択処理を行った後、ステップＳ１０４に進み、擬似動画像表示を行う。
【００３５】
つぎに、図３に示す画像選択処理について説明する。図４は、図３に示す画像選択処理の処理手順を示すフローチャートである。図４に示すように、画像表示制御部５５は、表示部３０に対して、擬似動画表示領域に表示される擬似動画像の順次表示を一時停止させ（ステップＳ１２２）、擬似動画表示領域に停止画像を表示させる。選択画像抽出部５２は、選択情報入力部２１から入力された選択情報をもとに、選択された画像を記憶部４０のフォルダＦ１から抽出する（ステップＳ１２４）。縮小画像生成部５３は、選択画像抽出部５２が抽出した画像に対する縮小画像を生成する（ステップＳ１２６）。画像表示制御部５５は、表示部３０に対して、縮小画像生成部５３が生成した縮小画像を所定の縮小画像表示領域に表示させる（ステップＳ１２８）。
【００３６】
その後、画像表示制御部５５は、タイマー５４の計時をスタートさせる（ステップＳ１３０）。画像表示制御部５５は、タイマー５４の計時値Ｔが所定の待機時間Ｔｓ以上であるか否かを判断し（ステップＳ１３２）、計時値Ｔが待機時間Ｔｓ以上になるまでステップＳ１３２の判断を繰り返す。計時値Ｔが待機時間Ｔｓ以上であると判断した場合（ステップＳ１３２：Ｙｅｓ）、画像表示制御部５５は、擬似動画像表示の順次表示の一時停止を解除する（ステップＳ１３４）。すなわち、画像表示制御部５５は、擬似動画像表示の順次表示の再開を表示部３０に対して指示する。その後、画像表示制御部５５は、タイマー５４の計時値を０にリセットして、停止させる（ステップＳ１３６）。
【００３７】
ここで、図５〜図７を参照して具体的な操作および処理について説明する。図５〜図７は、表示部３０の表示画面の一例を示す図であり、表示部３０の表示画面にはウィンドウＷが表示される。ウィンドウＷは、大きくは、擬似動画像表示領域Ａ１、縮小画像表示領域Ａ２，および動画表示制御キー領域Ａ３を有し、縮小画像表示領域Ａ２は、擬似動画像表示領域Ａ１の右側領域に設けられ、動画表示制御キー領域Ａ３は、擬似動画像表示領域Ａ１の下部に設けられる。擬似動画像表示領域Ａ１には、記憶部４０内に格納されたフォルダＦ１内の画像が撮像順にしたがって順次表示され、縮小画像表示領域Ａ２には、縮小画像生成部５３が生成した縮小画像が表示され、動画表示制御キー領域Ａ３には、再生ボタン２４、一時停止ボタン２５などの擬似動画像の各種表示制御処理を示すボタン画像が表示される。なお、縮小画像表示領域Ａ２では、縮小画像を一画面で表示しきれない場合には、スクロールバー３２が表示される。ユーザは、入力部２０のマウスを動かし、スライダー３３上に移動させたカーソル２３を上下に移動させることによって、画面上のスライダー３３を上下に移動し、縮小画像表示領域Ａ２の表示内容を上下に変化させる。
【００３８】
まず、入力部２０のマウスなどの動作により、図５に示すカーソル２３を再生ボタン２４上に移動させ、マウスの左ボタンをクリックすることによって、擬似動画表示の開始を指示する指示情報が制御部５０に入力される。この結果、図５に示すように、擬似動画像表示領域Ａ１の左側領域には、画像Ｐａが表示され、擬似動画像表示領域Ａ１の右側領域には、画像Ｐａの次にカプセル型内視鏡３が撮像した画像Ｐｂが表示される。その後、擬似動画像表示領域Ａ１の左側領域には、画像Ｐｂの次にカプセル型内視鏡３が撮像した画像が表示され、擬似動画像表示領域Ａ１の右側領域には、左側に表示された画像の次にカプセル型内視鏡３が撮像した画像が表示される。
【００３９】
たとえば、画像Ｐａを所望の画像として選択する場合、ユーザは、入力部２０のマウスを動かし、カーソル２３を画像Ｐａ上に移動させ、マウスの左ボタンをダブルクリックすることによって、入力部２０の選択画像入力部２１から制御部５０に対して、画像Ｐａを選択した選択情報が入力される。
【００４０】
制御部５０に選択情報が入力された場合、画像表示制御部５５は、まず、表示部３０に対して、擬似動画像の順次表示を一時停止させる。この結果、擬似動画像表示領域Ａ１では、画像Ｐａ，Ｐｂの表示が継続する。選択画像抽出部５２は、選択情報をもとに記憶部４０のフォルダＦ１の中から選択された画像Ｐａを抽出し、縮小画像生成部５３は、抽出された画像Ｐａに対する縮小画像Ｐａ１を生成する。そして、図６に示すように、画像表示制御部５５は、表示部３０に対して、縮小画像生成部５３が生成した縮小画像Ｐａ１を、縮小画像表示領域Ａ２に表示させる。この結果、縮小画像表示領域Ａ２には、選択された画像Ｐａに対する縮小画像Ｐａ１が表示される。
【００４１】
その後、タイマー５４の計時がスタートし、タイマー５４の計時値Ｔが待機時間Ｔｓ以上となった場合に、画像表示制御部５５の表示制御によって、表示部３０の擬似動画像表示領域における画像の順次表示が再開される。この結果、図７に示すように、擬似動画像表示領域Ａ１には、画像Ｐａ，Ｐｂの次にカプセル型内視鏡３によって撮像された画像Ｐｃ，Ｐｄが表示される。このように、画像Ｐａの選択後、縮小画像Ｐａ１表示されてから待機時間Ｔｓ経過までの間は、擬似動画像表示領域Ａ１の画像の順次表示が停止され、画像Ｐａ，Ｐｂが継続して表示される。
【００４２】
本実施の形態１にかかる画像表示装置４によれば、所定の擬似動画像表示領域に順次表示された画像のうちユーザよって選択された画像を、擬似動画像表示領域とは別の表示領域である所定の選択画像表示領域に表示させることによって、ユーザによる迅速な選択画像の確認を可能とする。さらに、画像表示装置４は、所定の擬似動画像表示領域に順次表示された画像のうちユーザよって選択された画像を、別の表示領域である所定の選択画像表示領域に撮像順にしたがって縮小して表示するため、ユーザは、選択画像がいずれの順で撮像されたかを確実に把握することができる。
【００４３】
また、本実施の形態１では、選択情報が入力後、縮小画像が表示されてから所定の待機時間経過までの間、擬似動画像の順次表示は停止される。言い換えると、ユーザが所望の画像を選択してから、この選択画像の縮小画像がウィンドウＷの縮小画像表示領域Ａ２に表示され所定の待機時間Ｔｓを経過するまでは、擬似動画像表示領域Ａ１の動画は停止する。このように、本実施の形態１では、ユーザが画像を選択した場合、擬似動画像の動画は停止されるため、ユーザの擬似動画像における画像の見逃しを防止することができる。さらに、本実施の形態１では、縮小画像が表示されてから所定の待機時間Ｔｓの間も擬似動画像表示の動画は停止されるため、ユーザが縮小画像表示領域を視認していた場合であっても、擬似動画像表示領域への視認を移動させるために十分な時間を確保することができ、ユーザの擬似動画像の見逃しを防止することができる。この結果、診断に必要な画像の選択時におけるユーザの負担を軽減することができる。この結果、本実施の形態１にかかる画像表示装置４を用いることによって、ユーザによる内視鏡画像を用いた診断の向上を図ることが可能になる。
【００４４】
また、ユーザは、所望の画像上に直接カーソルを移動させた状態でマウスの左ボタンをダブルクリックすることによって、所望の画像に対する選択情報を入力している。このため、ユーザは、動画像表示制御キー領域Ａ３上にカーソル２３を移動させる必要がない。したがって、本実施の形態１によれば、画像選択時のマウス移動を低減することができるため、画像選択時におけるユーザの負担を軽減することができる。
【００４５】
なお、本実施の形態１では、図５〜図７において、マウスの左ボタンのダブルクリックによって選択情報が入力される場合について説明したが、これに限らず、シングルクリックまたはマウスの右ボタンのクリックによって選択情報が入力されてもよい。また、いわゆるドラッグアンドドロップを行うことによって選択情報が入力されてもよい。たとえば、図８に示す画像Ｐｂを選択する場合について説明する。ユーザは、入力部２０のマウスを動かし、カーソル２３を画像Ｐｂ上に移動させ、カーソル２３が画像Ｐｂに重なった状態でマウスのボタンを押し、そのままの状態でマウスを矢印Ｙ１にしたがって、カーソル２３を縮小画像表示領域Ａ２に移動させ、縮小画像表示領域Ａ２上でマウスのボタンを離す。本実施の形態１では、このようなドラッグアンドドロップ動作によって、所望の画像を選択する選択情報が入力されてもよい。
【００４６】
（実施の形態２）
つぎに、実施の形態２について説明する。実施の形態１では、縮小画像が表示されてから所定の待機時間が経過した後、停止された画像の順次表示が再開されたが、本実施の形態２では、画像の順次表示の再開を指示する指示情報が入力された後、停止された画像の順次表示を再開する。
【００４７】
図９は、実施の形態２にかかる画像表示装置の概略構成を示すブロック図である。図９に示すように、本実施の形態２にかかる画像表示装置２０４は、実施の形態１にかかる画像表示装置４と比較し、入力部２０に代えて、再開情報入力部２２２をさらに備えた入力部２２０を備える。また、制御部２５０は、画像表示制御部５５に代えて、タイマー５４を削除した構成を有する画像表示制御部２５５を備える。入力部２２０は、実施の形態１における入力部２０と同等の機能を備え、再開情報入力部２２２は、一時停止された擬似動画像における画像の順次表示の再開を指示する再開情報を入力する。制御部２５０は、実施の形態１における制御部５０と同等の機能を備える。画像表示制御部２５５は、画像表示制御部５５と同等の機能を備えるとともに、入力部２２０における再開情報入力部２２２から入力された再開情報をもとに、表示部３０に対して擬似動画像の画像の順次表示を再開させる。
【００４８】
つぎに、図１０を参照して、制御部２５０による画像表示処理手順について説明する。まず、制御部２５０は、実施の形態１と同様に、入力部２２０からの擬似動画像表示を指示する指示情報があった否かを判断し（ステップＳ２０２）、この指示情報があったと判断した場合には（ステップＳ２０２：Ｙｅｓ）、表示部３０に対して画像群Ｐ１の擬似動画像表示を行わせる（ステップＳ２０４）。つぎに、制御部２５０は、実施の形態１と同様に、入力部２２０からの擬似動画像表示の終了を指示する指示情報があるか否かを判断し（ステップＳ２０６）、この指示情報があると判断した場合には（ステップＳ２０６：Ｙｅｓ）、表示部３０に対して擬似動画像表示を終了させる。一方、制御部２５０は、擬似動画像表示の終了を指示する指示情報がないと判断した場合には（ステップＳ２０６：Ｎｏ）、実施の形態１と同様に、擬似動画像として画像群Ｐ１の最終画像まで表示したか否かを判断する（ステップＳ２０８）。制御部２５０は、最終画像まで表示したと判断した場合（ステップＳ２０８：Ｙｅｓ）、表示部３０に対して擬似動画像表示を終了させる。一方、制御部２５０は、最終画像まで表示していないと判断した場合（ステップＳ２０８：Ｎｏ）、選択情報入力部２１からの選択情報の有無をもとに、画像選択指示があるか否かを判断し（ステップＳ２１０）、画像選択指示はないと判断した場合（ステップＳ２１０：Ｎｏ）、ステップＳ２０４に進み、表示部３０に対して擬似動画像表示を継続させる。なお、選択情報は、図５〜図７において説明したように、入力部２２０のマウスの左ボタンのダブルクリックによって入力されてもよく、また、図８において説明したように、ドラッグアンドドロップ動作によって入力されてもよい。
【００４９】
一方、制御部２５０は、画像選択指示があると判断した場合には（ステップＳ２１０：Ｙｅｓ）、選択された画像に対する縮小画像を生成し、表示部３０に対して所定の縮小表示領域に縮小画像を表示させる画像選択処理を行う（ステップＳ２１２）。制御部２５０は、画像選択処理を行った後、ステップＳ２０４に進み、擬似動画像表示を行う。
【００５０】
つぎに、図１０に示す画像選択処理について説明する。図１１は、図１０に示す画像選択処理の処理手順を示すフローチャートである。図１１に示すように、実施の形態１と同様に、画像表示制御部２５５は、表示部３０に対して擬似動画表示の順次表示を一時停止させ（ステップＳ２２２）、選択画像抽出部５２は、選択情報入力部２１から入力された選択情報をもとに記憶部４０のフォルダＦ１から選択された画像を抽出する（ステップＳ２２４）。縮小画像生成部５３は、選択画像抽出部５２が抽出した画像に対する縮小画像を生成し（ステップＳ２２６）、画像表示制御部２５５は、表示部３０に対して縮小画像生成部５３が生成した縮小画像を所定の縮小画像表示領域Ａ２に表示させる（ステップＳ２２８）。
【００５１】
その後、画像表示制御部２５５は、入力部２２０における再開情報入力部２２２から擬似動画表示の順次表示の再開を指示する再開情報の有無をもとに、擬似動画像表示の順次表示の再開指示があるか否かを判断する（ステップＳ２３０）。たとえば、図１２に示すように、カーソル２３を再生ボタン２４上に移動させ、マウスの左ボタンをクリックすることによって、再開情報は入力される。
【００５２】
画像表示制御部２５５は、再開指示があるまで、ステップＳ２３０の判断を繰り返し、再開指示があると判断した場合には（ステップＳ２３０：Ｙｅｓ）、表示部３０に対して、擬似動画像の順次表示の一時停止を解除させる（ステップＳ２３２）。そして、図１０のステップ２０４に進み、表示部３０は、擬似動画像の順次表示を再開する。
【００５３】
このように、実施の形態２では、画像の順次表示の再開を指示する指示情報が入力されるまでの間、画像の順次表示を停止するため、実施の形態１と同様の効果を奏するとともに、ユーザ自身が擬似動画像の順次表示の再開を指示することができるため、擬似動画像の見逃しを確実に防止することができる。
【００５４】
なお、本実施の形態１，２では、図５〜図８および図１２において、擬似動画像表示領域Ａ１に２枚の画像を表示した場合について説明したが、もちろん、擬似動画像表示領域Ａ１に１枚の画像を表示してもよく、４枚の画像を表示してもよく、表示枚数に制限はない。擬似動画像表示領域Ａ１に表示する画像の枚数は、入力部２０，２２０の指示情報をもとに変更することができる。
【００５５】
また、本実施の形態１，２では、所定待機時間経過または再開情報の有無を条件として擬似動画像の順次表示の再開を行う画像表示装置４，２０４について説明したが、これに限らず、擬似動画像の順次表示の再開の条件を所定待機時間経過または再開情報の有無のいずれかに選択可能である画像表示装置としてもよい。この場合、擬似動画像表示の開始を入力する以前に、擬似動画像の順次表示の再開条件を所定待機時間経過または再開情報の有無のいずれかのモードを選択してもよい。また、擬似動画像の順次表示の再開条件のデフォルトが所定待機時間経過として設定されており、再開情報の有無を条件とする場合には、擬似動画像の順次表示の再開条件を再開情報の有無として指示してもよい。
【００５６】
また、図５〜図８および図１２に示す一時停止ボタン２５上にカーソル２３を移動しクリックすることによって、擬似動画像の順次表示の一時停止が指示され、一時停止ボタン２５を再度クリックすることによって、擬似動画像の順次表示が再開される。
【００５７】
また、上記実施の形態１，２で説明した画像表示装置４，２０４は、あらかじめ用意されたプログラムをパーソナル・コンピュータやワークステーションなどのコンピュータシステムで実行することによって実現することができる。以下、上記実施の形態１，２で説明した画像表示装置と同様の機能を有する画像表示プログラムを実行するコンピュータシステムについて説明する。
【００５８】
図１３は、上述した実施の形態１，２を用いたコンピュータシステムの構成を示すシステム構成図であり、図１４は、このコンピュータシステムにおける本体部の構成を示すブロック図である。図１３に示すように、本実施の形態にかかるコンピュータシステム１００は、本体部１０１と、本体部１０１からの指示によって表示画面１０２ａに画像などの情報を表示するためのディスプレイ１０２と、このコンピュータシステム１００に種々の情報を入力するためのキーボード１０３と、ディスプレイ１０２の表示画面１０２ａ上の任意の位置を指定するためのマウス１０４とを備える。
【００５９】
また、このコンピュータシステム１００における本体部１０１は、図１４に示すように、ＣＰＵ１２１と、ＲＡＭ１２２と、ＲＯＭ１２３と、ハードディスクドライブ（ＨＤＤ）１２４と、ＣＤ−ＲＯＭ１０９を受け入れるＣＤ−ＲＯＭドライブ１２５と、フレキシブルディスク（ＦＤ）１０８を受け入れるＦＤドライブ１２６と、ディスプレイ１０２、キーボード１０３並びにマウス１０４を接続するＩ／Ｏインターフェース１２７と、ローカルエリアネットワークまたは広域エリアネットワーク（ＬＡＮ／ＷＡＮ）１０６に接続するＬＡＮインターフェース１２８とを備える。
【００６０】
さらに、このコンピュータシステム１００には、インターネットなどの公衆回線１０７に接続するためのモデム１０５が接続されるとともに、ＬＡＮインターフェース１２８およびＬＡＮ／ＷＡＮ１０６を介して、他のコンピュータシステム（ＰＣ）１１１、サーバ１１２、プリンタ１１３などが接続される。
【００６１】
そして、このコンピュータシステム１００は、所定の記録媒体に記録された画像表示プログラムを読み出して実行することで画像表示装置を実現する。ここで、所定の記録媒体とは、フレキシブルディスク（ＦＤ）１０８、ＣＤ−ＲＯＭ１０９、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）１２４や、ＲＡＭ１２２、ＲＯＭ１２３などの「固定用の物理媒体」、さらに、モデム１０５を介して接続される公衆回線１０７や、他のコンピュータシステム１１１並びにサーバ１１２が接続されるＬＡＮ／ＷＡＮ１０６などのように、プログラムの送信に際して短期にプログラムを保持する「通信媒体」など、コンピュータシステム１００によって読み取り可能な画像表示プログラムを記録する、あらゆる記録媒体を含むものである。
【００６２】
すなわち、画像表示プログラムは、上記した「可搬用の物理媒体」、「固定用の物理媒体」、「通信媒体」などの記録媒体に、コンピュータ読み取り可能に記録されるものであり、コンピュータシステム１００は、このような記録媒体から画像表示プログラムを読み出して実行することで画像表示装置および画像表示方法を実現する。なお、画像表示プログラムは、コンピュータシステム１００によって実行されることに限定されるものではなく、他のコンピュータシステム１１１またはサーバ１１２が画像表示プログラムを実行する場合や、これらが協働して画像表示プログラムを実行するような場合にも、本発明を同様に適用することができる。
【図面の簡単な説明】
【００６３】
【図１】実施の形態１における被検体内情報取得システムの全体構成を示す模式図である。
【図２】実施の形態１にかかる画像表示装置の概略構成を示すブロック図である。
【図３】図２に示す制御部による画像表示処理手順を示すフローチャートである。
【図４】図３に示す画像選択処理の処理手順を示すフローチャートである。
【図５】図２に示す表示部の表示画面の一例を示す図である。
【図６】図２に示す表示部の表示画面の一例を示す図である。
【図７】図２に示す表示部の表示画面の一例を示す図である。
【図８】図２に示す表示部の表示画面の一例を示す図である。
【図９】実施の形態２にかかる画像表示装置の概略構成を示すブロック図である。
【図１０】図９に示す制御部による画像表示処理手順を示すフローチャートである。
【図１１】図１０に示す画像選択処理の処理手順を示すフローチャートである。
【図１２】図９に示す表示部の表示画面の一例を示す図である。
【図１３】実施の形態１，２を用いたコンピュータシステムの構成を示す構成図である。
【図１４】図１３に示したコンピュータシステムにおける本体部の構成を示すブロック図である。
【符号の説明】
【００６４】
１  被検体
２  受信装置
２ａ  受信ジャケット
２ｂ  外部装置
４，２０４  画像表示装置
５  携帯型記録媒体
２０，２２０  入力部
２１  選択情報入力部
３０  表示部
４０  記憶部
５０，２５０  制御部
５２  選択画像抽出部
５３  縮小画像生成部
５４  タイマー
５５，２５５  画像表示制御部
２３  カーソル
２４  再生ボタン
２５  一時停止ボタン
３２  スクロールバー
３３  スライダー
２２２  再開情報入力部
１００  コンピュータシステム
１０１  本体部
１０２  ディスプレイ
１０２ａ  表示画面
１０３  キーボード
１０４  マウス
１０５  モデム
１０６  ローカルエリアネットワークまたは広域エリアネットワーク（ＬＡＮ／ＷＡＮ）
１０７  公衆回線
１０８  フレキシブルディスク（ＦＤ）
１０９  ＣＤ−ＲＯＭ
１１１  他のコンピュータシステム（ＰＣ）
１１２  サーバ
１１３  プリンタ
１２１  ＣＰＵ
１２２  ＲＡＭ
１２３  ＲＯＭ
１２４  ハードディスクドライブ（ＨＤＤ）
１２５  ＣＤ−ＲＯＭドライブ
１２６  ＦＤドライブ
１２７  Ｉ／Ｏインターフェース
１２８  ＬＡＮインターフェース
【図１】
2006055522.tif 000003
【図２】
2006055522.tif 000004
【図３】
2006055522.tif 000005
【図４】
2006055522.tif 000006
【図５】
2006055522.tif 000007
【図６】
2006055522.tif 000008
【図７】
2006055522.tif 000009
【図８】
2006055522.tif 000010
【図９】
2006055522.tif 000011
【図１０】
2006055522.tif 000012
【図１１】
2006055522.tif 000013
【図１２】
2006055522.tif 000014
【図１３】
2006055522.tif 000015
【図１４】
2006055522.tif 000016